(57)【要約】【課題】ＬＥＤ照明システムのための改良された取付け構造を提供する。【解決手段】ＬＥＤ照明システムのための取付け構造体において、少なくとも１つのＬＥＤ光源１０が設けられており、ＬＥＤ光源１０を取り付けるための回路板１８ａが設けられており、回路板１８ａが、ＬＥＤ光源１０に電力を供給するための導体路１８０を有する。【選択図】図１
2007067410.tif 000002
【特許請求の範囲】
【請求項１】
ＬＥＤ照明システムのための取付け構造体において、
少なくとも１つのＬＥＤ光源（１０）が設けられており、該少なくとも１つのＬＥＤ光源（１０）を取り付けるための回路板（１８ａ）が設けられており、該回路板（１８ａ）が、前記少なくとも１つのＬＥＤ光源（１０）に電力を供給するための導体路（１８０）を有することを特徴とする、ＬＥＤ照明システムのための取付け構造体。
【請求項２】
前記回路板（１８ａ）が支持ボディ（１６）に取り付けられている、請求項１記載の構造体。
【請求項３】
前記回路板（１８ａ）がプリント回路板（ＰＣＢ）である、請求項１又は２記載の構造体。
【請求項４】
前記回路板（１８ａ）上に前記導体路（１８０）がプリントされている、請求項３記載の構造体。
【請求項５】
前記少なくとも１つのＬＥＤ光源（１０）が、前記導体路（１８０）と接触するための突出した接点を有するアセンブリを有する、請求項１から４までのいずれか１項記載の構造体。
【請求項６】
前記支持ボディ（１６）が、バーの形状を成している、請求項１から５までのいずれか１項記載の構造体。
【請求項７】
前記支持ボディ（１６）が、線形、円形、正方形、六角形又は八角形から選択された形状を備える箱の形状を成している、請求項１から６までのいずれか１項記載の構造体。
【請求項８】
前記支持ボディ（１６）が、圧延又は注型されたボディである、請求項１から７までのいずれか１項記載の構造体。
【請求項９】
前記支持ボディ（１６）が、軽量の材料から形成されている、請求項１から８までのいずれか１項記載の構造体。
【請求項１０】
前記支持ボディ（１６）が、アルミニウム等の金属材料から形成されている、請求項１から９までのいずれか１項記載の構造体。
【請求項１１】
前記支持ボディ（１６）が、プラスチック材料から形成されている、請求項１から９までのいずれか１項記載の構造体。
【請求項１２】
前記支持ボディ（１６）が、良好な熱伝達係数を有する材料から形成されている、請求項１から１１までのいずれか１項記載の構造体。
【請求項１３】
前記支持体（１６）が、保持エレメントを取り付けるための通路（２２）を有する、請求項１から１２までのいずれか１項記載の構造体。
【請求項１４】
前記支持ボディ（１６）が、支持面に構造体を取り付けるための裏側（２０）を有している、請求項１から１３までのいずれか１項記載の構造体。
【請求項１５】
前記支持ボディ（１６）が、熱放散フィクスチャ（２０ａ）と結合されている、請求項１から１４までのいずれか１項記載の構造体。
【請求項１６】
前記支持ボディ（１６）が、内部に自由空間を有する中空のボディである、請求項１から１５までのいずれか１項記載の構造体。
【請求項１７】
前記支持ボディ（１６）が、冷却空気を流過させるために少なくとも部分的に開口させられている、請求項１から１６までのいずれか１項記載の構造体。
【請求項１８】
前記支持ボディ内に、前記少なくとも１つのＬＥＤ光源（１０）を駆動するためのドライバ回路（２４）が取り付けられている、請求項１から１７までのいずれか１項記載の構造体。
【請求項１９】
前記ドライバ回路（２４）と前記少なくとも１つのＬＥＤ光源（１０）との間の電気的接続が、ドライバボードのフレキシブルな部分、フレキシブルなケーブル又はフレキシブルなリボン状の平らな配線（２６）のうちの１つを含む、請求項１８記載の構造体。
【請求項２０】
前記フレキシブルな電気的接続（２６）が、前記支持ボディ（１６）に設けられた開口（２８）を通って延びている、請求項１９記載の構造体。
【請求項２１】
１つ又は２つ以上の同じ構造体を直列に接続するためのコネクタ（３２，３４）が設けられている、請求項１から２０までのいずれか１項記載の構造体。
【請求項２２】
前記コネクタ（３２，３４）が前記支持ボディ（１６）の向き合った端部に配置されており、構造体に設けられた１つのコネクタと、隣接する構造体に設けられた少なくとも別の相補的なコネクタ（３２，３４）とのプラグ及びソケット式接続を提供するようになっている、請求項２１記載の構造体。
【請求項２３】
前記支持ボディ（１６）が、複数の同じ構造体を線形に連続的に接続するように構成されている、請求項１から２２までのいずれか１項記載の構造体。
【請求項２４】
前記支持ボディ（１６）が、複数の同じ構造体を平行に並列に接続するように構成されている、請求項１から２３までのいずれか１項記載の構造体。
【請求項２５】
前記支持ボディ（１６）が、複数の前記ＬＥＤ光源（１０）を、一定のピッチで取り付けるように構成されている、請求項１から２４記載の構造体。
【発明の詳細な説明】
【技術分野】
【０００１】
本発明は、光源として発光ダイオード（ＬＥＤ）を有する照明システムに関する。
【背景技術】
【０００２】
ディスプレイエレメントとしての確立された使用に加え、発光ダイオード（ＬＥＤ）は光源としてますます一般的になりつつある。このことは主としていわゆる高光束又は高輝度ＬＥＤに当てはまる。
【０００３】
ＬＥＤ照明システムは通常、多数のコンポーネント、例えば１つ又は２つ以上のＬＥＤ光源、駆動回路、ヒートシンク、光学系、接続手段、補助取付けエレメントを有している。これらのコンポーネントは相互の接続を必要とし、かなり複雑であることが容易にわかる。これを考慮して、現在のＬＥＤ照明システムは、一体化の制限された可能性のみを有している。例えば、駆動回路は通常、電源モジュールの部分として構成されている。
【発明の開示】
【発明が解決しようとする課題】
【０００４】
前記のことを考慮して、ｉ）ＬＥＤ照明システムのコンポーネントの広範囲な一体化を可能にし、ｉｉ）コンパクトな寸法の照明システムを提供し、ｉｉｉ）システムの取扱い、接続及び取付けを容易にし、ｉｖ）あらゆる１つのコンポーネントのメンテナンス及び交換を容易にする、ＬＥＤ照明システムのための改良された取付け構造の必要性が感じられている。
【０００５】
本発明の目的は、この要求に対する完全に満足できる応答を提供することである。
【課題を解決するための手段】
【０００６】
本発明によれば、この目的は、請求項に記載された特徴を有する構造によって達成される。請求項は、ここに提供される発明の開示内容の一体的な部分である。
【０００７】
ここに記載される配置の好適な実施形態は、少なくとも１つのＬＥＤ光源を有するＬＥＤ照明システムのための取付け構造であり、この構造は、（例えばそこに取り付けられることにより）前記少なくとも１つのＬＥＤ光源を取り付けるための回路板を有しており、この回路板は、前記少なくとも１つのＬＥＤ光源に電力を供給するための導体路を有している。
【発明を実施するための最良の形態】
【０００８】
ここで本発明を添付の図面を参照して例としてのみ説明する。
【０００９】
図１は、１つ又は２つ以上のＬＥＤ光源１０を有するＬＥＤ照明システムのための取付け構造体を概略的に示している。
【００１０】
図示したように、各光源１０は、一種のボタン状アセンブリを形成するようにディスク状光学系に関連したＬＥＤ素子を有している。そうではなく、あらゆる別の（場合によってはより大きな）光学系が、説明される配置の枠組みの中で使用されることができ、同じことが、定置の光学系を備える又は全く光学系を備えない光源にも当てはまる。このようなアセンブリはこの分野において知られており、このようなアセンブリに頼ることは本発明の強制的な要求ではない：実際には開示された発明は、種々異なる形状を有する及び／又は種々異なるタイプのアセンブリに含まれているＬＥＤ光源に適用可能であり、これらのアセンブリは、関連する光学系を有さないアセンブリを含む。
【００１１】
全ての光源１０は、光源１０に電力を供給するための導体路１８０を備えた回路板１８ａに取り付けられている。回路板１８ａ（通常はプリント回路板若しくはＰＣＢ）は好適には支持ボディ１６の前側１８に取り付けられている。通常は、プリント回路板１８ａ上に、導体路１８０がプリントされており、光源１０は、導体路１８０に接触するための突出した接点を有している。
【００１２】
回路板１８ａ（図５により詳しく示されている）は、導体路１８０を介する光源１０への電気的接続及びボディ１６に対する電気的絶縁を保証するために、あらゆる適切な材料（例えば、ＦＲ４、ＣＥＭ、ＰＩ）から形成されている。好適な材料は、ボディ１６への良好な熱伝達をも提供する。したがって、ボディ１６への良好な熱接続を保証するために、接着された又はねじ留めされた回路板１８ａが好適である。回路板１８の製造は、最新技術に基づく。上面は、好適には、コーティング又はカバー、例えば塗料層、プラスチック箔等によって、外部に直接に曝されないように保護されている。
【００１３】
図１に示された実施形態において、支持ボディ１６は、矩形の断面を有する細長い箱形の概して中空のバーとして形成されている。図２に示された択一的な実施形態においては、支持ボディ１６は実質的に円形の箱として形成されている。図１及び図２に示された形状は単なる例である；支持ボディ１６は、実際には、あらゆる形状、例えば線形、円形、正方形、六角形、八角形等であることができる。
【００１４】
例えば、図１に示されたバー状の支持ボディ１６は、例えば（高さ、幅及び長さがそれぞれ）１５×２０×３００ｍｍの寸法を備えた平行六面体の形状を成している。
【００１５】
どのような形状であろうとも、支持ボディ１６は通常、対して互いに平行な、２つの向き合った平らな側１８及び２０を有している。
【００１６】
ボディ１６は、冷却のための付加的な空気流を提供するために、部分的に開放した側を有することができる。
【００１７】
図示したように、第１の側１８は上側位置若しくは"頂上"位置にあるのに対し、反対の側２０は支持ボディ１６の下側若しくは"底部"側を形成している。
【００１８】
典型的な取付け配置において、ボディ１６は、照明フィクスチャの内部に配置されている及び／又は底部側２０を介してこのフィクスチャに取り付けられている。取り扱いやすくするために、ボディ１６は取付けねじ又は同様の保持エレメントのための凹んだ通路２２を有することが好適である。
【００１９】
支持ボディ１６の材料は、十分な機械的強度のボディを製造するのに適したあらゆる材料であることができる。標準的な技術（例えば延伸、注型）によって成形される、金属（例えばアルミニウム）、プラスチック等の軽量材料が、本発明の枠組みの中で使用するのに適している。良好な熱伝導率を有する材料（例えばアルミニウム、金属担持プラスチック）が好ましい。
【００２０】
（ＬＥＤ光源１０とは反対側の）ボディ１６の"後ろ"側２０は、より一層の熱放散を提供するために、別の構造体２０ａ（例えばフィン付きフィクスチャ）に取り付けられることができる。この場合、別の構造体が付加的なヒートシンクとして働く。
【００２１】
構造体をコンパクトに形成するために、支持ボディ１６の全体寸法は、好適には、関連するドライバボード２４ａを有するドライバ２４のボディ１６内への挿入を可能にしながら、電気的接続部を備えたＬＥＤ光源１０を支持するように適合されたＰＣＢエレメント１８ａを前側において取り付けることを許容するのにちょうど十分であるように選択されている。
【００２２】
現時点で好適な実施形態において、ドライバ２４は電圧電流変換器である。特に好適な実施形態において、ドライバ２４は、制御単色、多色又は調光可能な動作の可能性を有する。ドライバボード２４ａは、ＬＥＤ光源１０の駆動電流を制御するために（公知のタイプの）様々なコンポーネントを受け入れる。
【００２３】
ボディ１６の形状は、ボード２４ａをその位置にロックすることによってドライバボード２４ａを与えられた位置に保持するように設計されている。したがってドライバボード２４ａは交換可能である。回路板２４ａとＬＥＤ光源１０との間の接続は、ドライバボードのフレキシブルな部分、又は、ボード２４ａからＰＣＢエレメント１８ａまでボディ１６における開口２８を通って延びた（図５）、フレキシブルなケーブル又はリボン状の平らな配線２６を含むことができる。
【００２４】
配線３０は、１つ又は２つ以上の同じ構造体へのフィードスルー（直列）接続を許容するためにボディ１６内に配置されることができる。その目的のために、ドライバＰＣＢ２４ａは、関連するコネクタ３２，３４を有する。これらのコネクタは、ボディ１６の端部に配置されている（図３参照）。これらのコネクタは、前記のような２つ又は３つ以上の照明構造体の連続する接続を可能にする。本質的に、コネクタ３２，３４は、一方の構造体の（例えば雄型の）コネクタ３４を、別の隣接する構造体によって支持された相補的な（例えば雌型の）コネクタ３２に挿入することによって、プラグ及びソケット式結合を可能にする。
【００２５】
このようなプラグ及びソケット式構造体が設けられていない場合にも、図５に示されたような１つのコネクタ３２は、ＬＥＤ光源１０に電力を供給するために、ドライバボード２４ａを電源に容易に接続させることができる。
【００２６】
図３に示された連続的な接続の代わりに、図４に示したように、２つ又は３つ以上の同じ構造体を並列構造として連結することができる。隣接する構造体の間には間隙が形成されることができる；択一的に、図４に示したように、間隙が形成されていないコンパクトな構造体を形成するように、２つ又は３つ以上の構造体がグループ分けされることができる。
【００２７】
それぞれの場合（図３の線形の、直列接続；図４の平行な、並列構造）において、例えば取付けジグ等の付加的な工具を用いることなく、一定のＬＥＤピッチを容易に得ることができる。
【００２８】
その結果、本発明の基本的原理への偏見なしに、添付の請求項によって定義されているような本発明の範囲から逸脱することなく、単なる例として説明されたものを参照することによって、詳細及び実施形態は変更されることができる。
【図面の簡単な説明】
【００２９】
【図１】ここに説明されたようなＬＥＤ取付け構造体の第１の実施形態の概略的な斜視図である。
【図２】ここに説明された構造の、別の幾何学的構成を示す図である。
【図３】図１に示されたような多数の構造の可能な連続の取付けを示している。
【図４】互いに並んで組み立てられた、図１に示されたような多数の構造を示している。
【図５】コンポーネントの可能な配置をより詳しく示した、図１の構造の部分の部分的に省略された斜視側面図である。
【符号の説明】
【００３０】
１０  ＬＥＤ光源、  １６  支持ボディ、  １８  前側、  １８ａ  回路板、  ２０  底部側、  ２０ａ  別の構造体、  ２２  通路、  ２４  ドライバ、  ２４ａ  ドライバボード、  ２６  配線、  ２８  開口、  ３２，３４  コネクタ、  １８０  導体路
【図１】
2007067410.tif 000003
【図２】
2007067410.tif 000004
【図３】
2007067410.tif 000005
【図４】
2007067410.tif 000006
【図５】
2007067410.tif 000007